(57)【要約】【課題】コネクタハウジングの形状変更を伴うことなく耐振動性能を向上させる。【解決手段】本発明の防水コネクタ１０は、防水用のゴムリング８０と、このゴムリング８０が嵌着される本体部４１を有し、この本体部４１の外周にロックアーム４３が形成された雌ハウジング４０と、本体部４１を内嵌可能なフード部２２を有し、このフード部２２の外周面に形成されたロック突部２３とロックアーム４３を係止させることで本体部４１とフード部２２とを嵌合状態にロックする雄ハウジング２４と、本体部４１におけるゴムリング８０の前側に装着されて同ゴムリング８０の前方への抜けを防止するフロント部材７０と、フロント部材７０の前端部に装着され、フード部２２の奥面２２Ｂに対して弾性的に当接する弾性部材９０とを備えた構成としたところに特徴を有する。【選択図】図２
2015133275.tif 000002
【特許請求の範囲】
【請求項１】
防水用のゴムリングと、
このゴムリングが嵌着される本体部を有し、この本体部の外周にロックアームが形成された第１コネクタハウジングと、
前記本体部を内嵌可能なフード部を有し、このフード部の外周面に形成されたロック突部と前記ロックアームを係止させることで前記本体部と前記フード部とを嵌合状態にロックする第２コネクタハウジングと、
前記本体部における前記ゴムリングの前側に装着されて同ゴムリングの前方への抜けを防止するフロント部材と、
前記フロント部材の前端部に装着され、前記フード部の奥面に対して弾性的に当接する弾性部材とを備えた防水コネクタ。
【請求項２】
前記弾性部材は、前記フード部の内周面に対して弾性的に当接する請求項１に記載の防水コネクタ。
【請求項３】
前記弾性部材は、金属材からなる板ばねであって、前記フロント部材の前端部に嵌合方向に係止する一対の係止片を備えている請求項１または請求項２に記載の防水コネクタ。
【請求項４】
前記弾性部材は、ゴム材からなるシールリングであって、前記フロント部材の前端部に周設された装着部に嵌着されている請求項１または請求項２に記載の防水コネクタ。
【発明の詳細な説明】
【技術分野】
【０００１】
本発明は、コネクタ間のがたつきを抑制する防水コネクタに関する。
【背景技術】
【０００２】
従来、嵌合後の端子相互間の嵌合方向の摺動を防止する技術として、下記特許文献１に記載の防水コネクタが知られている。この防水コネクタは、互いに嵌合可能な雄コネクタハウジングおよび雌コネクタハウジングを備えて構成されている。雄コネクタハウジングの外周壁に沿って立上り後壁が立設され、その先端から外周壁に対向する防水壁が設けられている。雄コネクタハウジングの外周壁と立上り後壁と防水壁とによって囲まれた空所内には防水のためのパッキングが装着されている。
【０００３】
雄コネクタハウジングの空所に雌コネクタハウジングの套体部が嵌入すると、パッキングが圧縮されるとともに、雄コネクタハウジングに設けられたロッキングアームの先端部と雌コネクタハウジングに形成された係止突起が係合して雌雄のコネクタハウジングは嵌合状態にロックされる。パッキングには、同パッキングの端面が延長されて環状の鍔となった突起部が形成されている。この突起部は、嵌合時は雄コネクタハウジングの立上り後壁と、雌コネクタハウジングの套体部の先端面に圧接され得るように形成されている。これにより、雌雄コネクタハウジング間のがたつきが抑制される。
【先行技術文献】
【特許文献】
【０００４】
【特許文献１】特公平５−５０１１３号公報
【発明の概要】
【発明が解決しようとする課題】
【０００５】
しかしながら、雌雄コネクタハウジングの嵌合面（嵌合方向に対向する面）間においては、樹脂成形に伴う寸法公差を考慮したクリアランスが設定されているため、嵌合面間における嵌合方向のがたつきを許容せざるを得ない。仮に嵌合面間にクリアランスを設定しなかった場合、ロッキングアームが係止突起に係合する前に嵌合面同士が当接してしまって、ロックができなくなるおそれがあった。また、特殊な形状のパッキングを使用するには、雌雄コネクタハウジングの形状を変更する必要があり、設計変更の申請、承認等を行う必要がある。
【０００６】
本発明は上記のような事情に基づいて完成されたものであって、コネクタハウジングの形状変更を伴うことなく耐振動性能を向上させることを目的とする。
【課題を解決するための手段】
【０００７】
本発明の防水コネクタは、防水用のゴムリングと、このゴムリングが嵌着される本体部を有し、この本体部の外周にロックアームが形成された第１コネクタハウジングと、本体部を内嵌可能なフード部を有し、このフード部の外周面に形成されたロック突部とロックアームを係止させることで本体部とフード部とを嵌合状態にロックする第２コネクタハウジングと、本体部におけるゴムリングの前側に装着されて同ゴムリングの前方への抜けを防止するフロント部材と、フロント部材の前端部に装着され、フード部の奥面に対して弾性的に当接する弾性部材とを備えた構成としたところに特徴を有する。
【０００８】
このような構成によると、ロックアームとロック突部を係止させることで第１コネクタハウジングの本体部を第２コネクタハウジングのフード部に内嵌させた状態にロックする。ここで、ロックアームとロック突部の係止を確実に行わせるため、フード部の奥面とフロント部材の前面との間に所定のクリアランスを設けているものの、このクリアランスに配された弾性部材がフード部の奥面に当接するようにしたから、嵌合方向のがたつきをなくして耐振動性能を向上させることができる。また、フロント部材に弾性部材を装着するようにしたので、第１コネクタハウジングの形状変更を伴うこともない。
【０００９】
本発明の実施の形態として、以下の構成が好ましい。
弾性部材は、フード部の内周面に対して弾性的に当接する構成としてもよい。
このような構成によると、嵌合方向に加えて、嵌合方向と直交する方向のがたつきをなくして耐振動性能を向上させることができる。
【００１０】
弾性部材は、金属材からなる板ばねであって、フロント部材の前端部に嵌合方向に係止する一対の係止片を備えている構成としてもよい。
このような構成によると、弾性部材の耐久性能を高めることができる。
【００１１】
弾性部材は、ゴム材からなるシールリングであって、フロント部材の前端部に周設された装着部に嵌着されている構成としてもよい。
このような構成によると、嵌合方向および径方向（嵌合方向と直交する方向）のがたつきを弾性部材によってなくすことができる。
【発明の効果】
【００１２】
本発明によれば、コネクタハウジングの形状変更を伴うことなく耐振動性能を向上させることができる。
【図面の簡単な説明】
【００１３】
【図１】実施形態１において本体部をフード部に内嵌させる前の状態を示した防水コネクタの断面図
【図２】本体部をフード部に内嵌させた後の状態を示した防水コネクタの断面図
【図３】板ばねをフロント部材に装着した状態を拡大して示した断面図
【図４】実施形態２において本体部をフード部に内嵌させる前の状態を示した防水コネクタの断面図
【図５】本体部をフード部に内嵌させた後の状態を示した防水コネクタの断面図
【発明を実施するための形態】
【００１４】
＜実施形態１＞
本発明の実施形態１を図１ないし図３の図面を参照しながら説明する。本実施形態における防水コネクタ１０は、互いに嵌合可能な雄コネクタ２０と雌コネクタ３０とを備えて構成されている。以下においては雌雄両コネクタ２０、３０の嵌合方向を前後方向とし、相手側コネクタと嵌合する側を前側として説明する。
【００１５】
雄コネクタ２０は合成樹脂製の雄ハウジング２４を有し、図１に示すように、この雄ハウジング２４は、機器Ｅの一部として構成されている。雄ハウジング２４には、機器Ｅから前方に突出して前方に開口する形態をなすフード部２２が形成されている。フード部２２の外周面には、ロック突部２３が形成されている。ロック突部２３は、後方に向けて緩やかな上り勾配をなす傾斜面２３Ａと、この傾斜面２３Ａの後縁から後方に向けて水平面２３Ｂと、この水平面２３Ｂの後縁から下方に向けて垂直に切り立った垂直面２３Ｃとを有している。フード部２２内の奥壁２２Ａには、前方に突出する形態をなす雄端子２１が配設されている。この奥壁２２Ａの内面は、嵌合方向と直交する奥面２２Ｂとされている。
【００１６】
雌コネクタ３０は合成樹脂製の雌ハウジング４０を有し、雌ハウジング４０は、雌端子５０を内部に収容してなる本体部４１と、この本体部４１の外周に形成された嵌合筒部４２と、本体部４１の上面に形成されたロックアーム４３とを備えて構成されている。ロックアーム４３はロック孔４３Ａを有し、このロック孔４３Ａにロック突部２３が嵌まり込むことでロック孔４３Ａの内壁とロック突部２３の垂直面２３Ｃとが前後方向に係止して本体部４１とフード部２２が嵌合状態にロックされることになる。
【００１７】
雌端子５０は、雄端子２１に接続される端子接続部５１と、この端子接続部５１の後方に形成されたワイヤバレル部５２と、このワイヤバレル部５２の後方に形成されたインシュレーションバレル部５３とを備えて構成されている。ワイヤバレル部５２は、電線Ｗの芯線Ｗ１に圧着されている。また、インシュレーションバレル部５３は、ゴム栓５４を介して電線Ｗの被覆Ｗ２に圧着されている。
【００１８】
本体部４１の内部には、端子収容孔４１Ａおよびゴム栓収容孔４１Ｂが形成されている。この端子収容孔４１Ａおよびゴム栓収容孔４１Ｂは互いに連通し、前後方向に貫通する形態をなしている。ゴム栓収容孔４１Ｂには、ゴム栓５４が収容され、このゴム栓５４によって本体部４１内に水が浸入することが防止されている。また、端子収容孔４１Ａには、ランス４４が形成され、このランス４４が雌端子５０の端子接続部５１に後方から係止することで雌端子５０が本体部４１内に保持されている。
【００１９】
本体部４１内には、リテーナ６０が装着されている。このリテーナ６０の一部は、端子収容孔４１Ａ内に突出しており、この突出した部分が雌端子５０の端子接続部５１の後端に後方から係止している。これにより、雌端子５０は、ランス４４とリテーナ６０によって二重係止された状態で本体部４１内に保持されている。
【００２０】
本体部４１の外周面における後端側には、ゴムリング８０が嵌着されている。このゴムリング８０は主に防水用のものであるが、雌雄両コネクタ２０、３０間の径方向（前後方向と直交する方向）のがたつきを防止することも可能である。このようなゴムリング８０の材料としては、主に油を含浸させたシリコーンゴム等が使用される。
【００２１】
ゴムリング８０は、複数条の内周リップ８１と複数条の外周リップ８２とを有しており、雌雄両コネクタ２０、３０を嵌合させると、図２に示すように、内周リップ８１が本体部４１の外周面に密着し、外周リップ８２がフード部２２の内周面２２Ｃに密着する。これにより、フード部２２と本体部４１の間がゴムリング８０によってシールされる。
【００２２】
本体部４１の外周面における前端部には、フロント部材７０が冠着されている。このフロント部材７０は、前壁部７１と、この前壁部７１の周縁から後方に延びる筒状の周壁部７２とから構成されている。この周壁部７２は、ゴムリング８０の前側に配されるようになっており、本体部４１の外周面に嵌着されたゴムリング８０の前方への抜けを防止している。
【００２３】
前壁部７１は、本体部４１の前側に配され、周壁部７２は、本体部４１の外周面に沿って配されている。周壁部７２の内周面には、上下一対の保持突起７３が形成され、本体部４１の外周面には、保持突起７３と前後方向に係止する上下一対の保持凹部４５が形成されている。各保持突起７３が各保持凹部４５に嵌まり込んで係止することにより、フロント部材７０が本体部４１の前端部に冠着した状態にロックされる。
【００２４】
前壁部７１には、雌端子５０の前端部を収容する凹部が形成され、この凹部は端子収容孔４１Ａの一部を構成している。前壁部７１には、雄端子２１を挿通させる端子挿通孔７４が形成され、この端子挿通孔７４から雄端子２１が端子収容孔４１Ａに進入可能となっている。そして、雄端子２１が雌端子５０の端子接続部５１に嵌合することで雌雄両端子２１、５０が導通可能に接続される。
【００２５】
フロント部材７０の前端部には、弾性部材９０が装着されている。本実施形態の弾性部材９０は金属材からなる板ばねであって、その両端部には一対の係止片９１が備えられている。一方、フロント部材７０の前壁部７１の外周面には、図３に示すように、上下一対の導入溝７５が形成されている。これらの導入溝７５の後端部には、上下一対の係止片９１と係止する上下一対の係止凹部７６が凹設されている。導入溝７５および係止凹部７６の配置は、雌雄両コネクタ２０、３０の嵌合時に雄端子２１が弾性部材９０に干渉しないように設定されている。
【００２６】
弾性部材９０をフロント部材７０の前壁部７１に装着する際には、係止片９１が導入溝７５に沿って後方へ移動し、弾性部材９０が正規の装着位置に至ると、係止片９１が係止凹部７６に勢いよく嵌まり込んで前後方向に係止する。これにより、弾性部材９０がフロント部材７０の前壁部７１に装着された状態にロックされる。
【００２７】
図１に示すように、弾性部材９０における上下一対の係止片９１の間には、振動吸収部９２が形成されている。この振動吸収部９２は、上下方向に延びる第１当接部９３と、この第１当接部９３の上下両側に配されて弧状をなす上下一対の第２当接部９４とを備えている。第１当接部９３は、フロント部材７０の前壁部７１から前方に離れた位置に配されている。また、上下一対の第２当接部９４は、フロント部材７０の前壁部７１よりも上下両側に迫り出した形状をなしている。したがって、雌雄両コネクタ２０、３０を嵌合させると、図２に示すように、振動吸収部９２の第１当接部９３がフード部２２の奥面２２Ｂに対して前後方向に面接触するとともに、上下一対の第２当接部９４がフード部２２の内周面２２Ｃに対して上下方向に当接する。これにより、前後方向および上下方向の双方における雌雄両コネクタ２０、３０間のがたつきをなくして耐振動性能を向上させることができる。
【００２８】
本実施形態は以上のような構成であって、続いてその作用を説明する。雌雄両コネクタ２０、３０を互いに嵌合させると、フード部２２の内周側に、フロント部材７０が装着された本体部４１が嵌合し、同時に、フード部２２の外周側に、嵌合筒部４２が嵌合する。また、雄コネクタ２０の雄端子２１は、端子挿通孔７４を通って端子収容孔４１Ａに進入し、雌端子５０の端子接続部５１と嵌合して電気的に接続される。また、雌雄両コネクタ２０、３０の嵌合により、雄ハウジング２４のロック突部２３は、雌ハウジング４０のロックアーム４３を上方へ撓ませた後、ロック孔４３Ａの内壁と前後方向に係止し、図２に示すように、雌雄両ハウジング２４、４０を嵌合状態にロックする。
【００２９】
雌雄両ハウジング２４、４０が嵌合することにより、本体部４１は、その後方部までフード部２２に内嵌し、装着されたゴムリング８０の外周リップ８２がフード部２２の内周面２２Ｃに押圧され、内周リップ８１が本体部４１の外周面に押圧され、これによって外部から本体部４１への水入りを防止する。また、それとともに、フード部２２の奥面２２Ｂは、弾性部材９０の第１当接部９３を前後方向に押圧してやや撓ませた状態で当接することにより、雌雄両ハウジング２４、４０間の前後方向のがたつきを低減する。さらに、フード部２２の内周面２２Ｃは、弾性部材９０の第２当接部９４を上下方向に押圧してやや撓ませた状態で当接することにより、雌雄両ハウジング２４、４０間の上下方向のがたつきを低減する。
【００３０】
以上のように本実施形態では、ロックアーム４３とロック突部２３を係止させることで雌ハウジング４０の本体部４１を雄ハウジング２４のフード部２２に内嵌させた状態にロックする。ここで、ロックアーム４３とロック突部２３の係止を確実に行わせるため、フード部２２の奥面２２Ｂとフロント部材７０の前面との間に所定のクリアランスを設けているものの、このクリアランスに配された弾性部材９０がフード部２２の奥面２２Ｂに当接するようにしたから、嵌合方向のがたつきをなくして耐振動性能を向上させることができる。また、フロント部材７０に弾性部材９０を装着するようにしたので、雌ハウジング４０の形状変更を伴うこともない。
【００３１】
弾性部材９０は、フード部２２の内周面２２Ｃに対して弾性的に当接する構成としてもよい。
このような構成によると、嵌合方向に加えて、嵌合方向と直交する方向のがたつきをなくして耐振動性能を向上させることができる。
【００３２】
弾性部材９０は、金属材からなる板ばねであって、フロント部材７０の前端部（前壁部７１）に嵌合方向に係止する一対の係止片９１を備えている構成としてもよい。
このような構成によると、弾性部材９０の耐久性能を高めることができる。
【００３３】
＜実施形態２＞
次に、本発明の実施形態２を図４および図５の図面を参照しながら説明する。本実施形態の防水コネクタ１１０は、実施形態１の防水コネクタ１０の弾性部材９０を変更したものであって、実施形態１と同じ構成については実施形態１と同一の符号を付すものとする。本実施形態の弾性部材１９０はゴム材からなるシールリングとされている。また、実施形態１と共通する構成、作用、および効果については重複するため、その説明を省略する。
【００３４】
防水コネクタ１１０は、互いに嵌合可能な雄コネクタ２０と雌コネクタ１３０とを備えて構成されている。雌コネクタ１３０のフロント部材１７０の前端部には、前壁部１７１が形成され、この前壁部１７１の外周には、弾性部材１９０が装着される装着部１７７が全周に亘って凹設されている。この装着部１７７は、前壁部１７１の前方に開口しており、弾性部材１９０を装着部１７７に装着した状態では、弾性部材１９０の前端部に形成された突当部１９３が前壁部１７１の前面よりも前方に突出して配される。
【００３５】
弾性部材１９０は、複数条の内周リップ１９５と複数条の外周リップ１９６とを有しており、雌雄両コネクタ２０、１３０を嵌合させると、図５に示すように、内周リップ１９５が本体部４１の外周面に密着し、外周リップ１９６がフード部２２の内周面２２Ｃに密着する。さらに、弾性部材９０の突当部１９３は、フード部２２の奥面２２Ｂに突き当たり、弾性的に当接する。これにより、弾性部材９０は、前後方向および径方向（前後方向と直交する方向）の双方において圧縮され、前後方向および径方向における雌雄両ハウジング２４、４０間のがたつきを低減することができる。
【００３６】
以上のように本実施形態では、弾性部材１９０は、ゴム材からなるシールリングであって、フロント部材１７０の前端部（前壁部１７１）に周設された装着部１７７に嵌着されている構成としたから、、前後方向および径方向（前後方向と直交する方向）のがたつきを弾性部材１９０によってなくすことができる。
【００３７】
＜他の実施形態＞
本発明は上記記述及び図面によって説明した実施形態に限定されるものではなく、例えば次のような実施形態も本発明の技術的範囲に含まれる。
（１）上記実施形態では弾性部材として板ばね、ゴム材からなるシールリングを例示したが、本発明によると、コイルばね等を用いてもよい。
【００３８】
（２）上記実施形態では弾性部材が前後方向以外の方向におけるがたつきも防止しているものの、本発明によると、前後方向のがたつきのみを防止するものとしてもよい。
【符号の説明】
【００３９】
１０、１１０…防水コネクタ
２２…フード部
２２Ｂ…奥面
２２Ｃ…内周面
２３…ロック突部
２４…雄ハウジング（第２コネクタハウジング）
３０、１３０…雌コネクタ
４０…雌ハウジング（第１コネクタハウジング）
４１…本体部
４３…ロックアーム
７０、１７０…フロント部材
７１、１７１…前壁部（前端部）
８０…ゴムリング
９０、１９０…弾性部材
９１…係止片
１７７…装着部
【図１】
2015133275.tif 000003
【図２】
2015133275.tif 000004
【図３】
2015133275.tif 000005
【図４】
2015133275.tif 000006
【図５】
2015133275.tif 000007